(57)【特許請求の範囲】
【請求項１】
多数のノードが網状ネットワークよりなる光バースト交換システムにおけるバースト転送方法であって、
（ａ）現在ノードから多数のノードを経由して目的地ノードに到達するＳＨＧ（Ｓｅｖｅｒａｌ  Ｈｏｐ  Ｇｏｉｎｇ）バーストを生成する段階と、
（ｂ）前記生成されたＳＨＧバーストを以前のノードから転送されたＳＨＧバーストとの衝突を防止するために専用の波長群に割り当て、次のノードに伝達する段階と、
（ｃ）以前のノードから転送されたＳＨＧバーストについて、バースト制御パケットの送信からデータバーストの転送までのオフセット時間を解読し、オフセット時間別に分離する段階と、
（ｄ）前記オフセット時間別に分離されたＳＨＧバーストを各々異なる波長群に割り当て、次のノードに転送する段階と、を備えることを特徴とする波長分離を利用した光バースト交換システムにおけるバースト転送方法。
【請求項２】
前記段階（ｂ）で、現在ノードを出発して次のノードに伝達されたＳＨＧバーストは、前記次のノードでオフセット時間別に分離することを特徴とする請求項１に記載の波長分離を利用した光バースト交換システムにおけるバースト転送方法。
【発明の詳細な説明】
【技術分野】
【０００１】
本発明は、光バースト交換システムにおけるバースト転送方法に関し、より詳細には、以前のノードで発生したＳＨＧ（Ｓｅｖｅｒａｌ  Ｈｏｐ  Ｇｏｉｎｇ）バーストに割り当てられたオフセット時間によってＳＨＧバーストを分離し、オフセット時間別に異なる波長に割り当てて転送することによって、全てのバーストがチャネル占有のために公正に競争できるようにした波長分離を利用した光バースト交換システムにおけるバースト転送方法に関する。
【背景技術】
【０００２】
従来、光バースト交換システム（Ｏｐｔｉｃａｌ  Ｂｕｒｓｔ  Ｓｗｉｔｃｈｉｎｇ  Ｎｅｔｗｏｒｋｓ）では、バーストが生成されれば、バースト制御パケット（Ｂｕｒｓｔ  Ｃｏｎｔｒｏｌ  Ｐａｃｋｅｔ、ＢＣＰ）をまず送信した後、一定の時間後に実際データを転送するためのバーストであるデータバースト（Ｄａｔａ  Ｂｕｒｓｔ；ＤＢ）を転送する。この時間差をオフセット（ｏｆｆｓｅｔ）時間と呼ぶ。
【０００３】
このような光バースト交換システムにおけるバースト転送方法は、現在ノード（Ｃｕｒｒｅｎｔ  Ｎｏｄｅ）を経由して次のノード（Ｎｅｘｔ  Ｎｏｄｅ）に転送されるデータバースト、すなわちトランジットデータバースト（Ｔｒａｎｓｉｔ  Ｄａｔａ  Ｂｕｒｓｔ；ＴＤＢ）及び現在ノードから出発するデータバーストが同時に出力チャネル占有を試みて、オフセット時間の長いデータバーストが出力チャネルを占有する確率が高いように設計されている。
【０００４】
リンク障害保護/復旧方法に関し、とくにＯＢＳ(Ｏｐｔｉｃａｌ  Ｂｕｒｓｔ  Ｓｗｉｔｃｈｉｎｇ)網で光レイブル統合と網部下によった動的資源公有方式を利用したリンク障害保護/復旧方法に関する(特許文献１)。
【０００５】
すなわち、オフセット時間が長ければ、高い優先度を有し、オフセット時間が短ければ、低い優先度を有する。例えば、目的地ノードに到達するために経由するノードの数が異なる場合、同じ優先度を有するバーストであっても、オフセット時間が異なるため、異なる優先度を有する。これは、同じ優先度を有するバーストであっても、異なる優先度を有するため、チャネル占有のための公正な競争をすることができないという問題点がある。
【０００６】
【特許文献１】韓国公開特許公報 第２００４-００９６４４６号
【発明の開示】
【発明が解決しようとする課題】
【０００７】
本発明は、前述したような問題点を解決するためになされたもので、本発明の目的は、以前のノードで発生したＳＨＧバーストに割り当てられたオフセット時間によってＳＨＧバーストを分離し、オフセット時間別に異なる波長に割り当てて転送することによって、全てのバーストがチャネル占有のために公正に競争することができるようにした波長分離を利用した光バースト交換システムにおけるバースト転送方法を提供することにある。
【課題を解決するための手段】
【０００８】
前記目的を達成するために、本発明の一態様に係る 波長分離を利用した光バースト交換システムにおけるバースト転送方法は、多数のノードが網状ネットワークよりなる光バースト交換システムにおけるバースト転送方法であって、（ａ）現在ノードから多数のノードを経由して目的地ノードに到達するＳＨＧバーストを生成する段階と、（ｂ）前記生成されたＳＨＧバーストを以前のノードから転送されたＳＨＧバーストとの衝突を防止するために専用の波長群に割り当て、次のノードに伝達する段階と、（ｃ）以前のノードから転送されたＳＨＧバーストについて、バースト制御パケットの送信からデータバーストの転送までの多様なオフセット時間を解読し、オフセット時間別に分離する段階と、（ｄ）前記オフセット時間別に分離されたＳＨＧバーストを各々異なる波長群に割り当て、次のノードに転送する段階と、を備える。
【０００９】
ここで、前記段階（ｂ）で、現在ノードを出発して次のノードに伝達されたＳＨＧバーストは、前記次のノードでオフセット時間別に分離することが好ましい。
【発明の効果】
【００１０】
本発明の波長分離を利用した光バースト交換システムにおけるバースト転送方法によれば、以前のノードで発生したＳＨＧバーストに割り当てられたオフセット時間によってＳＨＧバーストを分離し、オフセット時間別に異なる波長に割り当てて転送することによって、全てのバーストがチャネル占有のために公正に競争することができ、これにより、光バースト交換システムの商用化を早めるのに大きな効果がある。
【発明を実施するための最良の形態】
【００１１】
以下、添付の図面を参照して、本発明の好適な実施例を詳細に説明する。下記の実施例は、当業者に本発明の思想が十分に伝達され得るようにするために一例として提示されるものである。したがって、本発明は、下記の実施例に限らず、様々な変形が可能である。
【００１２】
図１は、本発明に適用される網状ネットワーク構造を有する光バースト交換システムを説明するための図である。
【００１３】
図１を参照すれば、本発明に適用される網状ネットワーク構造を有する光バースト交換システムにおいて各々のノードは、バーストを生成する機能だけでなく、他のノードで生成されたバーストを伝達する機能をも行う。
【００１４】
また、バーストの出発ノードから目的地ノードまで経由するノードの数や優先度によってオフセット時間をバーストに割り当て、オフセット時間によってバーストの優先度が決定される。
【００１５】
すなわち、オフセット時間が長ければ、高い優先度を有し、オフセット時間が短ければ、低い優先度を有する。目的地ノードに到達するために経由するノードの数が異なる場合、同じ優先度を有するバーストであっても、オフセット時間が異なるため、異なる優先度を有する。
【００１６】
これにより、同じ優先度を有するバーストであっても、異なる優先度を有するため、チャネル占有のための公正な競争をすることができない状況が発生し、これに対する改善が必要である。
【００１７】
図２は、本発明に係る光バーストが出発ノードから目的地ノードまで到達しながら変化するオフセット時間の変化を説明するための図であり、図３は、同じ優先度を有するバーストが目的地ノードに到達するために経由しなければならないノードの数によってオフセット時間が異なることを説明するための図である。
【００１８】
図２及び図３を参照すれば、バースト制御パケットＢＣＰは、光電変換を行い、データバーストＤＢの経路設定及びデータバーストＤＢのための時間を予約した後、さらに電光信号に変換され、次のノードに転送されるのに対し、データバーストＤＢは、光電または電光変換を行わずに、全てのノードを遅延無しで通過して、目的地ノードに到着する。
【００１９】
例えば、図２で、Ｔ１は、最初のノードでバースト制御パケットＢＣＰとデータバーストＤＢ間のオフセット時間を示すもので、バースト制御パケットＢＣＰは、前記Ｔ１だけ遅延し、次のノードに転送される。
【００２０】
前記のような原理で動作する光バースト交換システムにおいて、バースト制御パケットＢＣＰだけが中間ノードで光電変換及び信号処理を行うようになり、データバーストＤＢは、電気信号処理を行わないので、オフセット時間は、中間ノードを通過するに従って、続いて減少する。
【００２１】
参照符号ＯＥＲ及びＯＣＲは、各々光バースト交換システムのエッジルータ（Ｏｐｔｉｃａｌ  Ｅｄｇｅ  Ｒｏｕｔｅｒ）及び光バースト交換システムの中心ルータ（Ｏｐｔｉｃａｌ  Ｃｏｒｅ  Ｒｏｕｔｅｒ）を示すものである。
【００２２】
また、参照符号δは、中心ノードでバースト制御パケットＢＣＰを光電変換し、ルーティング情報を判読することで、データバーストＤＢのための経路設定を行うのにかかる時間を示すものである。
【００２３】
一方、図３に示されたように、残存するノードの数によって、バーストのオフセット時間が異なるので、同じ優先度を有するバーストが公正性侵害（Ｆａｉｒｎｅｓｓ  Ｖｉｏｌａｔｉｏｎ）される例を示す。
【００２４】
このような問題点を解決するために、本発明では、以前のノードから入るＳＨＧバーストを、オフセット時間やバーストの優先度を考慮して、異なる波長に割り当てる方式を提案している。
【００２５】
図４は、本発明の一実施例に係る光バースト交換システムにおけるバースト転送方法を説明するための流れ図である。
【００２６】
図４を参照すれば、まず、現在ノードから多数のノードを経由して目的地ノードに到達するバースト、すなわちＳＨＧバーストを生成し（Ｓ１００）、前記生成されたＳＨＧバーストを、以前のノードから転送されたＳＨＧバーストとの衝突を防止するために、専用の波長群に割り当て、次のノードに伝達する（Ｓ２００）。
【００２７】
この際、前記ＳＨＧバーストは、目的地ノードに到達するために経由しなければならないノードの個数が多様なので、前記ＳＨＧバーストのオフセット時間は、互いに異なる。したがって、前記ＳＨＧバーストのための波長群を、多様な種類のオフセット時間を有するバーストが利用する。
【００２８】
次に、以前のノードから転送されたＳＨＧバーストの多様なオフセット時間を解読し、オフセット時間別に分離した後（Ｓ３００）、前記オフセット時間別に分離されたＳＨＧバーストを各々異なる波長群に割り当て、次のノードに転送する（Ｓ４００）。
【００２９】
この際、専用の波長群を使用するＳＨＧバーストは、１つのノードを通過した後、オフセット時間別に分離される。これは、残存するノードの数及びバーストに割り当てられた優先度によってバーストを区分することを意味する。
【００３０】
このように区分されたＳＨＧバーストは、各々のオフセット時間別に割り当てられた波長群に割り当てられることによって、各々のオフセット時間のために割り当てられた波長群内では、ＳＨＧバーストのオフセット時間が同一なので、全てのバーストが公正にチャネル占有のために競争することができる。
【００３１】
前述したような本発明に係る 波長分離を利用した光バースト交換システムにおけるバースト転送方法の好ましい実施例について説明したが、本発明は、これらに限定されるものでなく、特許請求範囲と発明の詳細な説明及び図面の範囲内で、様々な置換、変形及び変更が可能である。
【図面の簡単な説明】
【００３２】
【図１】本発明に適用される網状ネットワーク構造を有する光バースト交換システムを説明するための図である。
【図２】本発明に係る光バーストが出発ノードから目的地ノードまで到達しながら変化するオフセット時間の変化を説明するための図である。
【図３】同じ優先度を有するバーストが目的地ノードに到達するために経由しなければならないノードの数によってオフセット時間が異なることを説明するための図である。
【図４】本発明の一実施例に係る波長分離を利用した光バースト交換システムにおけるバースト転送方法を説明するための流れ図である。
【符号の説明】
【００３３】
ＯＥＲ  光バースト交換システムのエッジルータ
ＯＣＲ  光バースト交換システムの中心ルータ
ＢＣＰ  バースト制御パケット
ＤＢ  実際データが転送されるバースト
Ｔｉ  ｉ番目ノードでバースト制御パケットとデータバースト間のオフセット時間
δ  中心ノードでバースト制御パケットを光電変換してルーティング情報を判読することで、データバーストのための経路設定を行うのにかかる時間
ＳＨＧバースト  入力ノードから出発するバーストであって、経由するノードの数が多数であるバースト
【図１】
0004414413.tif 000002
【図２】
0004414413.tif 000003
【図３】
0004414413.tif 000004
【図４】
0004414413.tif 000005